(57)【特許請求の範囲】
【請求項１】
サイドプレート（１４）に回転可能に支持された巻取パイプ（１６）と、巻取パイプ（１６）に一端側が連結されて巻取パイプ（１６）に巻取り及び巻解き可能なスクリーン（１８）と、スクリーン（１８）の他端側に連結されたウエイトバー（１９）とを有するロールスクリーンにおいて、
ウエイトバー（１９）には一対の支持部材（２２）の基端が回動可能に連結されており、折り畳まれた支持部材（２２）はウエイトバー（１９）内に収容可能であることを特徴とするロールスクリーン。
【請求項２】
前記支持部材（２２）は、伸縮可能である請求項１記載のロールスクリーン。
【請求項３】
前記支持部材（２２）の基端は軸受部材（２４）に軸着され、該軸受部材（２４）がウエイトバー（１９）の内部でウエイトバー（１９）に対してウエイトバー（１９）の長手方向の軸を中心として回動可能に収容される請求項１または２記載のロールスクリーン。
【請求項４】
前記軸受部材（２４）とウエイトバー（１９）との間には、軸受部材（２４）のウエイトバー（１９）に対する回動角度を保持する係合機構（２４ａ、３０、３２）が設けられることを特徴とする請求項１ないし３のいずれか１項に記載のロールスクリーン。
【発明の詳細な説明】
【０００１】
【発明の属する技術分野】
本発明は、ロールスクリーンに関し、特にスクリーンを傾斜させて使用することができるロールスクリーンに関するものである。
【０００２】
【従来の技術】
従来、この種のロールスクリーンとしては、実開平３−４８０９１号公報に示されるものがある。このロールスクリーンでは、スクリーンの下端に設けたボトムバーの両端の基端に、窓枠にその基端を回動可能に支持した回動アームの先端を取着し、その回動アームが伸縮可能な筒型複軸構造となっている。これによれば、スクリーンを引き出すと回動アームが回動し、その引き出し量に応じて回動アームの回動角度が変化する。スクリーンを一部引き出して、回動アームの基部でその回動を規制すると、ボトムバーが途中位置で保持され、スクリーンを庇のように傾斜した状態で保持することができる、ことが記載される。
【０００３】
【発明が解決しようとする課題】
しかしながら、上記公報によるロールスクリーンでは、回動アームの基端を回動可能に支持するアームベースを窓枠に固定しなければならないために簡単にロールスクリーンの取付を行うことができず、また、スクリーンが昇降するときには、回動アームの回動に従ってボトムレールが移動するために、単に鉛直方向に昇降するロールスクリーンとしては使用することができず、適用範囲が限定されてしまうという問題がある。また、常時、回動アームが露出しているために、ロールスクリーン全体が大型化して見栄えも悪いという問題もある。
【０００４】
本発明はかかる従来の課題に鑑みなされたもので、簡単に取付を行うことができ、広い適用範囲を持つロールスクリーンを提供することをその目的とするものである。
【０００５】
【課題を解決するための手段】
前述した目的を達成するために、本発明は、サイドプレートに回転可能に支持された巻取パイプと、巻取パイプに一端側が連結されて巻取パイプに巻取り及び巻解き可能なスクリーンと、スクリーンの他端側に連結されたウエイトバーとを有するロールスクリーンにおいて、
ウエイトバーには一対の支持部材の基端が回動可能に連結されており、折り畳まれた支持部材はウエイトバー内に収容可能であることを特徴とする。
【０００６】
スクリーンを傾斜させない一般的なロールスクリーンとして使用する場合には、支持部材をウエイトバー内に収容して、公知のロールスクリーンと同じ操作によってスクリーンの昇降を行うことができる。従って、ロールスクリーンが必要以上に大型化することなく、見栄えも良好にすることができる。
【０００７】
次に、スクリーンを傾斜させたい場合には、折り畳まれていた一対の支持部材をウエイトバーから取り出して、ウエイトバーに対して所望の角度に回転させて、支持部材の先端を窓枠、壁面、床面等に固定する。これにより、スクリーンを所望の傾斜角度で傾斜させることができるようになる。こうしてスクリーンを傾斜させることにより、例えばスクリーンでスペースを分離して、窓辺に小スペースを作ったり、または、スクリーンを庇のように用いたりする、といったことができるようになり、適用範囲が広がることになる。
【０００８】
また、前記支持部材は、伸縮可能とすることができる。これにより、スクリーンの傾斜角度と、支持部材の先端の位置との関係の自由度を広げることができるようになる。
【０００９】
また、前記支持部材の基端は軸受部材に軸着され、該軸受部材がウエイトバーの内部でウエイトバーに対してウエイトバーの長手方向の軸を中心として回動可能に収容されるとよい。これにより、支持部材は、軸受部材に対して回動することにより、支持部材の基端を残してウエイトバーから取り出すことができ、さらに軸受部材を支持部材の基端と共にウエイトバーに対してウエイトバーの長手方向の軸を中心として回動することで、スクリーンの面外方向へと回動することができる。こうして、支持部材がスクリーンを傾斜した位置へと保持することができるようになる。
【００１０】
また、前記軸受部材とウエイトバーとの間には、軸受部材のウエイトバーに対する回動角度を保持する係合機構が設けられるとよい。係合機構によって支持部材のスクリーンの面外方向への回動角度がある角度に規制されるので、支持部材の先端と窓枠、壁面、床面等との間の固定が簡単になる。
【００１１】
【発明の実施の形態】
以下、図面を用いて本発明の実施の形態を説明する。
【００１２】
図１は本発明のロールスクリーンの実施形態を表す正面図である。図１において、ロールスクリーン１０は、窓枠等にブラケット１３等により取り付けられるセットフレーム１２の両端に取り付けられた一対のサイドプレート１４を有しており、一対のサイドプレート１４の間に巻取パイプ１６が回転可能に支持されている。巻取パイプ１６には、スクリーン１８の一端が連結されており、巻取パイプ１６に巻取り及び巻解き可能となっている。スクリーン１８は、後述のように傾斜することができるために、傾斜しない通常のロールスクリーンに比べて、その高さ寸法を若干長く設定しておくとよい。スクリーン１８の下端には、ウエイトバー１９が連結されている。
【００１３】
巻取パイプ１６の内部には、巻取パイプ１６に対して常時スクリーン巻取方向に回転させる力を加える巻取スプリング１７と、巻取パイプ１６の回転を停止させる状態と回転を許容する状態に切り換えるストッパ装置（図示を省略）とが配設される。
【００１４】
ウエイトバー１９の両端には、一対の支持部材２２の一端がそれぞれ回動可能に連結され、折り畳まれた各支持部材２２は、ウエイトバー１９内に収容可能となっている。即ち、図２及び図３に示すように、ウエイトバー１９のウエイト本体２０の内部には、スクリーン１８の下端を収容する区画室２０ａと支持部材２２を収容する第２区画室２０ｂがそれぞれ分離されて形成されている。図２及び図４ないし図６に示すように、ウエイト本体２０の両端には、ウエイトバーキャップ２１が連結されており、区画室２０ａ及び第２区画室２０ｂは、ウエイトバーキャップ２１の内部に連通している。ウエイトバーキャップ２１内には、軸受部材２４が収容されており、この軸受部材２４に前記支持部材２２の基端が軸ピン２３によって軸着される。この軸ピン２３によって支持部材２２は、ウエイトバー１９の長手方向に対して直交する軸を中心として軸受部材２４に対して回動することができる。第２区画室２０ｂの下面には開口２０ｃが形成されており第２区画室２０ｂは下方に開放されており、同様に、ウエイトバーキャップ２１の下面には開口２１ａが形成されておりウエイトバーキャップ２１は下方に開放されており、軸受部材２４に対して支持部材２２が回動したときに、支持部材２２はその基端を残して開口２０ｃ、２１ａを挿通してウエイトバー１９から抜け出ることができる。
【００１５】
また、軸受部材２４は、その外周形状が略円筒形状となっており、そのウエイトバーキャップ２１の内周面と摺接する。よって、軸受部材２４及びこれに軸着された支持部材２２の基端は、ウエイトバーキャップ２１内でウエイトバー１９の長手方向の軸を中心としてウエイトバー１９に対して回動し、従って、スクリーン１８の面外方向へと支持部材２２が回動することができる。
【００１６】
この支持部材２２は、常時は、ウエイトバー１９内に収容されており、この収容状態を維持するために、第２区画室２０ｂと支持部材２２との間には係合構造が形成されているとよい。係合構造の一例としては、第２区画室２０ｂの開口２０ｃの一部の幅を、支持部材２２の幅よりも小さくなった縮幅部２０ｃ１（図３参照）とすることができる。支持部材２２が第２区画室２０ｂの開口２０ｃを挿通するときには、支持部材２２が開口２０ｃの縮幅部２０ｃ１を押し広げながら通り抜けることができる。
【００１７】
支持部材２２の先端には、図６に示したように、ジョイント２５を介して揺動可能に接地板２２ｂが設けられる。接地板２２ｂは、ジョイント２５によって、支持部材２２の本体２２ａに対してその長手方向に直交する軸を中心として揺動可能となっている。接地板２２ｂの表面には、摩擦材２２ｃが付着されると好ましい。
【００１８】
ウエイトバー１９の中央部には、取手２６が取り付けられている。
【００１９】
以上のように構成されるロールスクリーンにおいて、スクリーン１８を傾斜させない通常のロールスクリーンとして使用したい場合には、支持部材２２をウエイトバー１９内に収容した状態で、ウエイトバー１９の取手２６を操作して、昇降操作させることができる。例えば、スクリーン１８を上昇させたい場合には、取手２６を若干下方に引いてストッパー装置を解除させると、巻取スプリング１７の巻取力でスクリーン１８が巻取パイプ１６に巻取られて、ウエイトバー１９が上昇する。適当な高さで取手２６を若干下方に引いてストッパー装置を作動させると、巻取パイプ１６の回転が停止されるので、そのスクリーン１８がその位置を保持することができる（図７参照）。ウエイトバー１９を下降させたい場合には、取手２６を持って下方に引っ張り、巻取パイプ１６からスクリーン１８を巻解いて、適当な高さで取手２６を離せばストッパー装置が作動して、スクリーン１８はその位置を保持する。以上の操作において、スクリーン１８は、鉛直方向に移動し且つ鉛直方向に伸びている。
【００２０】
スクリーン１８を傾斜させたい場合には、取手２６を操作して、適当な高さにスクリーン１８を保持した後、支持部材２２をウエイトバー１９から取り出す。支持部材２２は、その基端がウエイトバー１９内に収容された軸受部材２４に対して軸着されているため、基端を中心として、ウエイトバー１９に対して直交する軸を中心として回動することができる（図８参照）。こうして支持部材２２を回動させて、支持部材２２の基端を除き、ウエイトバー１９の下方へと取り出した後、さらに、支持部材２２の基端が軸着された軸受部材２４を回動させることで（図９参照）、支持部材２２をスクリーン１８の面外方向へと回動させることができる。そして、支持部材２２の先端部にある接地板２２ｂを窓枠の適当な位置に設置して、接地板２２ｂに付着された摩擦材２２ｃと窓枠、壁面または床面との間の摩擦力によって固定させる。これにより、図１０に示すように、スクリーンによってスペースを分離することができる。ロールスクリーンを図示のように室内用として使用した場合には、室内の一部のみに光を直接採り入れることができ、窓際の植物には日差しを浴びせながら、窓際の一部を除き室内を完全に遮蔽することができる。
【００２１】
または、図１１に示すように、スクリーン１８を巻取パイプ１６に巻き取って、スクリーン１８の巻取パイプ１６からの巻解き量を図１０よりも少なくし、支持部材２２の先端部にある接地板２２ｂを、窓枠の高い位置に設置して、接地板２２ｂに付着された摩擦材２２ｃと窓枠または壁面との間の摩擦力によって固定させることにより、スクリーン１８の傾斜角度をより大きく設定して、スクリーン１８を庇として用いることができるようになる。
【００２２】
以上の任意のスクリーン傾斜状態において、スクリーン１８に作用する支持部材２２からの重力が、ストッパー装置を解除するのに必要な力より小さくなっている。
【００２３】
以上は、支持部材２２が一定の長さのものであるとして説明を行ったが、これに限るものではない。支持部材２２’は、例えばテレスコピック構造として、その長さを伸縮可能にすることも可能である（図１２参照）。この場合には、図１３に示すように、スクリーン１８の傾斜角度に拘わらず、接地板２２ｂの位置を一定とすることにしてもよい。また、この場合、接地板２２ｂを受ける受板２８を窓枠等に固定することも可能であり、接地板２２ｂと受板２８とが摩擦力によって結合する他に、係合力、磁力等によって互いに着脱可能に結合することもできる。係合力によって結合する場合には、接地板２２ｂと受板２８のいずれか一方に係合凸部を他方に係合凹部を設けるとよい。また、磁力によって結合する場合には、接地板２２ｂと受板２８のいずれか一方を磁石、他方を磁性体で構成するとよい。
【００２４】
また、図１４に示すように、軸受部材２４の外周面とウエイトバーキャップ２１の内周面との間に係合機構を設けることも可能である。ウエイトバーキャップ２１の内周面には凹部２１ｂが形成されており、その凹部２１ｂ内には、係合体であるボール３０とバネ３２とが収容されており、ボール３０はバネ３２によって常時軸受部材２４の外周面の方へと押し付けられている。軸受部材２４の外周面には、その回動方向に沿って複数の係合凹部２４ａが形成されている。前記ボール３０が前記バネ３２の付勢力によって係合凹部２４ａ内へと押圧されることにより、軸受部材２４はウエイトバーキャップ２１に係合される。このボール３０が複数の係合凹部２４ａのうちのある係合凹部２４ａに係合されることによって、その回動角度に確実に保持される。こうして、軸受部材２４及び支持部材２２のスクリーン１８の面外方向への回動状態を確実に保持することができる。よって、接地板２２ｂと窓枠、壁面または床面との間の固定を簡単にすることができる。
【００２５】
【発明の効果】
以上説明したように、本発明によれば、スクリーンを傾斜させない一般的なロールスクリーンとして使用する場合には、支持部材をウエイトバー内に収容した状態で、通常通り使用することができて、ロールスクリーンが必要以上に大型化することなく、見栄えも良好にすることができる。スクリーンを傾斜させたい場合には、折り畳まされた一対の支持部材を取り出して、ウエイトバーに対して所望の角度に回転させて支持部材の先端を窓枠等に固定することにより、スクリーンを所望の傾斜角度で傾斜させることができる。
【図面の簡単な説明】
【図１】本発明のロールスクリーンの実施形態を表す全体正面図である。
【図２】図１のロールスクリーンのウエイトバーの端部付近の拡大断面図である（スクリーンは仮想線で表す）。
【図３】図２の３−３線に沿って見た断面図である。
【図４】図２の４−４線に沿って見た断面図である。
【図５】図２の５−５線に沿って見た断面図である。
【図６】図１のロールスクリーンの支持部材を含みウエイトバーの端部付近の分解斜視図である。
【図７】図１のロールスクリーンのスクリーンを傾斜させずに使用した場合の側面図である。
【図８】図１のロールスクリーンの支持部材をウエイトバーから引き出す状態を表す正面図である。
【図９】図１のロールスクリーンの支持部材の基端をスクリーンの面外方向へと回動させた状態を表す図５相当図である。
【図１０】図１のロールスクリーンのスクリーンを傾斜させて小スペースを形成した状態を表す側面図である。
【図１１】図１のロールスクリーンのスクリーンを傾斜させて庇を形成した状態を表す側面図である。
【図１２】伸縮可能な支持部材の例を表す斜視図である。
【図１３】支持部材を伸縮可能とした場合にスクリーンを傾斜させた種々の状態を表す側面図である。
【図１４】軸受部材とウエイトバーとの間に係合機構を設けた例を表す図５相当図である。
【符号の説明】
１４  サイドプレート
１６  巻取パイプ
１８  スクリーン
１９  ウエイトバー
２２  支持部材
２４  軸受部材
２４ａ  係合凹部（係合機構）
３０  ボール（係合機構）
３２  バネ（係合機構）
【図１】
0003756112.tif 000002
【図２】
0003756112.tif 000003
【図３】
0003756112.tif 000004
【図４】
0003756112.tif 000005
【図５】
0003756112.tif 000006
【図６】
0003756112.tif 000007
【図７】
0003756112.tif 000008
【図８】
0003756112.tif 000009
【図９】
0003756112.tif 000010
【図１０】
0003756112.tif 000011
【図１１】
0003756112.tif 000012
【図１２】
0003756112.tif 000013
【図１３】
0003756112.tif 000014
【図１４】
0003756112.tif 000015